(57)【要約】  本発明はＵＥの送信ポート数量を指示する方法、ネットワーク装置、ユーザー装置（ＵＥ）及びコンピュータ記憶媒体を開示する。現在の帯域組合せが、性能低下の状況を有する帯域組合せである場合、現在の周波数ポイントと帯域幅との組合せでは性能低下の状況があるか否かを判断し、判断結果を取得するステップと、前記判断結果に基づいて、前記ＵＥが第１数量又は前記第１数量よりも大きい第２数量の送信ポートを使用することをネットワーク側に指示することを確定するステップと、を含む。
2020537831.tif 000002
【特許請求の範囲】
【請求項１】
ユーザー装置（ＵＥ）の送信ポート数量を指示する方法であって、ＵＥに適用され、
現在の帯域組合せが、性能低下の状況を有する帯域組合せである場合、現在の周波数ポイントと帯域幅との組合せでは性能低下の状況があるか否かを判断し、判断結果を取得するステップと、
前記判断結果に基づいて、前記ＵＥが、第１数量又は前記第１数量よりも大きい第２数量の送信ポートを使用することをネットワーク側に指示することを確定するステップと、を含むユーザー装置の送信ポート数量を指示する方法。
【請求項２】
前記した前記判断結果に基づいて、前記ＵＥが第１数量又は第２数量の送信ポートを使用することをネットワーク側に指示することを確定することは、
現在の周波数ポイントと帯域幅との組合せでは性能低下の状況がないことが前記判断結果によって示される場合、前記ＵＥが第２数量の送信ポートを使用することを前記ネットワーク側に指示するステップをさらに含む請求項１に記載の方法。
【請求項３】
接続状態に入った後、無線能力をネットワーク側に送信するステップをさらに含む請求項２に記載の方法。
【請求項４】
前記無線能力は、前記ＵＥの少なくとも１種の帯域組合せにおける性能低下指示情報を含み、前記帯域組合せは少なくとも２個の帯域を含み、前記性能低下指示情報は、対応する帯域組合せで性能低下の状況があるか否かを示すためのものである請求項３に記載の方法。
【請求項５】
前記無線能力は、前記ＵＥに少なくとも１種の帯域組合せで使用される送信ポートの数量を含み、前記帯域組合せは少なくとも２個の帯域を含む請求項３に記載の方法。
【請求項６】
ネットワーク側から送信された構成情報であって、帯域組合せ、及び／又は、周波数ポイントと帯域幅との組合せを含む構成情報を受信するステップと、
前記構成情報に基づいて、前記帯域組合せ及び／又は前記周波数ポイントと帯域幅との組合せ、サポートする第１数量の送信ポート又はサポートする第２数量の送信ポートを確定するステップと、をさらに含む請求項１に記載の方法。
【請求項７】
前記した前記判断結果に基づいて、前記ＵＥが第１数量又は第２数量の送信ポートを使用することをネットワーク側に指示することを確定することは、
現在の帯域組合せが、性能低下の状況を有する帯域組合せである場合、性能低下の状況を有する帯域組合せ及び／又は周波数ポイントと帯域幅との組合せのうち、ターゲット帯域組合せ及び／又はターゲット周波数ポイントと帯域幅との組合せが第２数量の送信ポートをサポートすることを、ネットワーク側に指示するステップを含む請求項６に記載の方法。
【請求項８】
前記ＵＥが第２数量の送信ポートをサポートできるか否かを示すハードウェア能力情報を、ネットワーク側に送信するステップをさらに含む請求項１に記載の方法。
【請求項９】
前記した前記判断結果に基づいて、前記ＵＥが第１数量又は第２数量の送信ポートを使用することをネットワーク側に指示することを確定することは、
前記ＵＥが第２数量の送信ポートをサポートすることが前記ハードウェア能力情報によって示される場合、
現在の周波数ポイントと帯域幅との組合せでは性能低下の状況があることが前記判断結果によって示される場合、前記ＵＥが第１数量の送信ポートを使用することをネットワーク側に指示することを確定し、そうでない場合、前記ＵＥが使用する送信ポートの数量をネットワーク側に指示しないステップを含む請求項８に記載の方法。
【請求項１０】
無線能力をネットワーク側に送信した後、ネットワーク側から送信された少なくとも１個の周波数ポイントと帯域幅との組合せの問い合わせ情報を受信したか否かを判断するステップと、
ネットワーク側から送信された少なくとも１個の周波数ポイントと帯域幅との組合せの問い合わせ情報を受信した場合、前記少なくとも１個の周波数ポイントと帯域幅との組合せが第１数量又は第２数量の送信ポートをサポートすることをネットワーク側に送信するステップと、をさらに含む請求項３−５のいずれか一項に記載の方法。
【請求項１１】
ＵＥの送信ポート数量を指示する方法であって、ネットワーク装置に適用され、
現在の帯域組合せが、性能低下の状況を有する帯域組合せである場合、ＵＥから送信された指示を取得し、前記指示によって、前記ＵＥが第１数量又は前記第１数量よりも大きい第２数量の送信ポートを使用することを確定するステップを含む方法。
【請求項１２】
受信した指示によって、前記ＵＥが第２数量の送信ポートを使用することが示される場合、前記ＵＥに対応する現在の周波数ポイントと帯域幅との組合せでは性能低下の状況がないことを確定するステップをさらに含む請求項１１に記載の方法。
【請求項１３】
前記ＵＥが接続状態に入った後、前記ＵＥに対応する無線能力がコアネットワーク側に保存されているか否かを判断し、保存されていない場合、無線能力を取得する要求情報を前記ＵＥに送信するステップをさらに含む請求項１２に記載の方法。
【請求項１４】
前記無線能力は、前記ＵＥの少なくとも１種の帯域組合せにおける性能低下指示情報を含み、前記帯域組合せは少なくとも２個の帯域を含み、前記性能低下指示情報は、対応する帯域組合せで性能低下の状況があるか否かを示すためのものである請求項１３に記載の方法。
【請求項１５】
前記無線能力は、前記ＵＥに少なくとも１種の帯域組合せで使用される送信ポートの数量を含み、前記帯域組合せは少なくとも２個の帯域を含む請求項１３に記載の方法。
【請求項１６】
前記ＵＥから送信された指示を取得することは、
ＵＥがセカンダリセルグループによってネットワーク側に指示を送信する場合、前記セカンダリセルグループから送信された前記指示をＸｎを介して取得するステップをさらに含む請求項１１に記載の方法。
【請求項１７】
帯域組合せ、及び／又は、周波数ポイントと帯域幅との組合せを含む構成情報をＵＥに送信するステップをさらに含む請求項１１に記載の方法。
【請求項１８】
ＵＥから送信されたハードウェア能力情報であって、前記ＵＥが第２数量の送信ポートをサポートできるか否かを示すハードウェア能力情報を受信するステップをさらに含む請求項１１に記載の方法。
【請求項１９】
第１数量の送信ポートを使用することを示す、ＵＥから送信された指示を受信した場合、前記第１数量の送信ポートに基づいてリソース割り当てを行うステップと、
第１数量の送信ポートを使用することを示す、ＵＥから送信された指示が受信されていない場合、前記第２数量の送信ポートに基づいてリソース割り当てを行うステップと、をさらに含む請求項１８に記載の方法。
【請求項２０】
ＵＥから送信された無線能力を受信した後、少なくとも１個の周波数ポイントと帯域幅との組合せの問い合わせ情報を前記ＵＥに送信するステップと、
前記ＵＥから送信された、前記少なくとも１個の周波数ポイントと帯域幅との組合せが第１数量又は第２数量の送信ポートをサポートすることを受信するステップと、をさらに含む請求項１３−１６のいずれか一項に記載の方法。
【請求項２１】
ＵＥであって、
現在の帯域組合せが、性能低下の状況を有する帯域組合せである場合、現在の周波数ポイントと帯域幅との組合せでは性能低下の状況があるか否かを判断し、判断結果を取得し、前記判断結果に基づいて、前記ＵＥが第１数量又は前記第１数量よりも大きい第２数量の送信ポートを使用することをネットワーク側に指示することを確定する第１処理ユニットと、
前記指示をネットワーク側に送信する第１通信ユニットと、を備えるＵＥ。
【請求項２２】
前記第１処理ユニットは、現在の周波数ポイントと帯域幅との組合せでは性能低下の状況がないことが前記判断結果によって示される場合、前記ＵＥが第２数量の送信ポートを使用することを前記ネットワーク側に指示する請求項２１に記載のＵＥ。
【請求項２３】
前記第１通信ユニットは、接続状態に入った後、無線能力をネットワーク側に送信する請求項２２に記載のＵＥ。
【請求項２４】
前記無線能力は、前記ＵＥの少なくとも１種の帯域組合せにおける性能低下指示情報を含み、前記帯域組合せは少なくとも２個の帯域を含み、前記性能低下指示情報は、対応する帯域組合せで性能低下の状況があるか否かを示すためのものである請求項２３に記載のＵＥ。
【請求項２５】
前記無線能力は、前記ＵＥに少なくとも１種の帯域組合せで使用される送信ポートの数量を含み、前記帯域組合せは少なくとも２個の帯域を含む請求項２３に記載のＵＥ。
【請求項２６】
前記第１通信ユニットは、ネットワーク側から送信された構成情報であって、帯域組合せ、及び／又は、周波数ポイントと帯域幅との組合せを含む構成情報を受信し、
それに対応して、前記第１処理ユニットは、前記構成情報に基づいて、前記帯域組合せ及び／又は前記周波数ポイントと帯域幅との組合せ、サポートする第１数量の送信ポート又はサポートする第２数量の送信ポートを確定する請求項２３に記載のＵＥ。
【請求項２７】
前記第１処理ユニットは、現在の帯域組合せが、性能低下の状況を有する帯域組合せである場合、性能低下の状況を有する帯域組合せ及び／又は周波数ポイントと帯域幅との組合せのうち、ターゲット帯域組合せ及び／又はターゲット周波数ポイントと帯域幅との組合せが第２数量の送信ポートをサポートすることを、ネットワーク側に指示する請求項２６に記載のＵＥ。
【請求項２８】
前記第１通信ユニットは、前記ＵＥが第２数量の送信ポートをサポートできるか否かを示すハードウェア能力情報を、ネットワーク側に送信する請求項２１に記載のＵＥ。
【請求項２９】
前記第１処理ユニットは、前記ＵＥが第２数量の送信ポートをサポートすることが前記ハードウェア能力情報によって示される場合、
現在の周波数ポイントと帯域幅との組合せでは性能低下の状況があることが前記判断結果によって示される場合、前記ＵＥが第１数量の送信ポートを使用することをネットワーク側に指示することを確定し、そうでない場合、前記ＵＥが使用する送信ポートの数量をネットワーク側に指示しない請求項２８に記載のＵＥ。
【請求項３０】
前記第１処理ユニットは、無線能力をネットワーク側に送信した後、ネットワーク側から送信された少なくとも１個の周波数ポイントと帯域幅との組合せの問い合わせ情報を受信したか否かを判断し、ネットワーク側から送信された少なくとも１個の周波数ポイントと帯域幅との組合せの問い合わせ情報を受信した場合、前記少なくとも１個の周波数ポイントと帯域幅との組合せが第１数量又は第２数量の送信ポートをサポートすることをネットワーク側に送信する請求項２３−２５のいずれか一項に記載のＵＥ。
【請求項３１】
ネットワーク装置であって、
現在の帯域組合せが、性能低下の状況を有する帯域組合せである場合、ＵＥから送信された指示を取得し、前記指示によって、前記ＵＥが第１数量又は前記第１数量よりも大きい第２数量の送信ポートを使用することを確定する第２処理ユニットと、
ＵＥから送信された指示を受信する第２通信ユニットと、を備えるネットワーク装置。
【請求項３２】
前記第２処理ユニットは、受信した指示によって、前記ＵＥが第２数量の送信ポートを使用することが示される場合、前記ＵＥに対応する現在の周波数ポイントと帯域幅との組合せでは性能低下の状況がないことを確定する請求項３１に記載のネットワーク装置。
【請求項３３】
前記第２処理ユニットは、前記ＵＥが接続状態に入った後、前記ＵＥに対応する無線能力がコアネットワーク側に保存されているか否かを判断し、保存されていない場合、無線能力を取得する要求情報を前記ＵＥに送信する請求項３２に記載のネットワーク装置。
【請求項３４】
前記無線能力は、前記ＵＥの少なくとも１種の帯域組合せにおける性能低下指示情報を含み、前記帯域組合せは少なくとも２個の帯域を含み、前記性能低下指示情報は、対応する帯域組合せで性能低下の状況があるか否かを示すためのものである請求項３３に記載のネットワーク装置。
【請求項３５】
前記無線能力は、前記ＵＥに少なくとも１種の帯域組合せで使用される送信ポートの数量を含み、前記帯域組合せは少なくとも２個の帯域を含む請求項３３に記載のネットワーク装置。
【請求項３６】
前記第２通信ユニットは、ＵＥがセカンダリセルグループによってネットワーク側に指示を送信する場合、前記セカンダリセルグループから送信された前記指示をＸｎを介して取得する請求項３１に記載のネットワーク装置。
【請求項３７】
前記第２通信ユニットは、帯域組合せ、及び／又は、周波数ポイントと帯域幅との組合せを含む構成情報をＵＥに送信する請求項３１に記載のネットワーク装置。
【請求項３８】
前記第２通信ユニットは、ＵＥから送信されたハードウェア能力情報であって、前記ＵＥが第２数量の送信ポートをサポートできるか否かを示すハードウェア能力情報を受信する請求項３１に記載のネットワーク装置。
【請求項３９】
前記第２処理ユニットは、第１数量の送信ポートを使用することを示す、ＵＥから送信された指示を受信した場合、前記第１数量の送信ポートに基づいてリソース割り当てを行い、
第１数量の送信ポートを使用することを示す、ＵＥから送信された指示が受信されていない場合、前記第２数量の送信ポートに基づいてリソース割り当てを行う請求項３８に記載のネットワーク装置。
【請求項４０】
前記第２処理ユニットは、ＵＥから送信された無線能力を受信した後、少なくとも１個の周波数ポイントと帯域幅との組合せの問い合わせ情報を前記ＵＥに送信し、
前記ＵＥから送信された、前記少なくとも１個の周波数ポイントと帯域幅との組合せが第１数量又は第２数量の送信ポートをサポートすることを受信する請求項３３−３６のいずれか一項に記載のネットワーク装置。
【請求項４１】
ユーザー装置であって、プロセッサ、及びプロセッサにより実行可能なコンピュータプログラムを記憶するように構成されるメモリを備え、
前記プロセッサは前記コンピュータプログラムを実行する時、請求項１−１０のいずれか一項に記載の方法のステップを実行するように構成されるユーザー装置。
【請求項４２】
ネットワーク装置であって、プロセッサ、及びプロセッサにより実行可能なコンピュータプログラムを記憶するように構成されるメモリを備え、
前記プロセッサは前記コンピュータプログラムを実行する時、請求項１１−２０のいずれか一項に記載の方法のステップを実行するように構成されるネットワーク装置。
【請求項４３】
コンピュータ記憶媒体であって、コンピュータ実行可能命令が記憶されており、前記コンピュータ実行可能命令が実行される時、請求項１−２０のいずれか一項に記載の方法のステップを実現するコンピュータ記憶媒体。
【発明の詳細な説明】
【技術分野】
【０００１】
本発明は情報処理の技術分野に関し、特にＵＥの送信ポート数量を指示する方法、ユーザー装置（ＵＥ）、ネットワーク装置及びコンピュータ記憶媒体に関する。
【背景技術】
【０００２】
現在、人々の速度、遅延、高速移動性、エネルギー効率に対するニーズ及び将来の生活でのサービスの多様化、複雑化につれ、３ＧＰＰ国際標準化機構は５Ｇの開発を開始した。ＮＲの初期配置では、完全なＮＲカバレッジを実現するのは困難であるため、典型的なネットワークカバレッジは広域なＬＴＥカバレッジ及びＮＲの孤島カバレッジモードである。しかも、大量のＬＴＥは６ＧＨｚ以下に配置され、５Ｇに利用可能な６ＧＨｚ以下のスペクトルは非常に少ない。従って、ＮＲは６ＧＨｚ以上のスペクトル応用を研究せざるを得ない。しかし高周波帯域はカバレッジが限られており、信号減衰が速い。また、モバイルオペレーターの初期段階でのＬＴＥ投資を保護するために、ＬＴＥとＮＲとの間でｔｉｇｈｔ  ｉｎｔｅｒｗｏｒｋｉｎｇを行う動作モードが提案されている。
【０００３】
例えば、携帯電話のようなユーザー装置は、ＲＦ設計においてｂａｎｄに基づいて設計されているものであり、しかしいくつかのｂａｎｄの組合せにおいて、ＵＥが使用可能なアンテナ数量は異なり、すなわち、１個又は２個があり得る。ネットワーク側とＵＥ側とのアンテナ使用状況及びリソース割り当て状況がマッチングできない場合、通信性能に問題がある可能性がある。
【発明の概要】
【発明が解決しようとする課題】
【０００４】
上記技術的問題を解決するために、本発明の実施例はＵＥの送信ポート数量を指示する方法、ＵＥ、ネットワーク装置及びコンピュータ記憶媒体を提供する。
【課題を解決するための手段】
【０００５】
本発明の実施例に係るＵＥの送信ポート数量を指示する方法は、ＵＥに適用され、
現在の帯域組合せが、性能低下の状況を有する帯域組合せである場合、現在の周波数ポイントと帯域幅との組合せでは性能低下の状況があるか否かを判断し、判断結果を取得するステップと、
前記判断結果に基づいて、前記ＵＥが第１数量又は前記第１数量よりも大きい第２数量の送信ポートを使用することをネットワーク側に指示することを確定するステップと、を含む。
【０００６】
本発明の実施例に係るＵＥの送信ポート数量を指示する方法は、ネットワーク装置に適用され、
現在の帯域組合せが、性能低下の状況を有する帯域組合せである場合、ＵＥから送信された指示を取得し、前記指示によって、前記ＵＥが第１数量又は前記第１数量よりも大きい第２数量の送信ポートを使用することを確定するステップを含む。
【０００７】
本発明の実施例に係るＵＥは、
現在の帯域組合せが、性能低下の状況を有する帯域組合せである場合、現在の周波数ポイントと帯域幅との組合せでは性能低下の状況があるか否かを判断し、判断結果を取得し、前記判断結果に基づいて、前記ＵＥが第１数量又は前記第１数量よりも大きい第２数量の送信ポートを使用することをネットワーク側に指示することを確定する第１処理ユニットと、
前記指示をネットワーク側に送信する第１通信ユニットと、を備える。
【０００８】
本発明の実施例に係るネットワーク装置は、
現在の帯域組合せが、性能低下の状況を有する帯域組合せである場合、ＵＥから送信された指示を取得し、前記指示によって、前記ＵＥが第１数量又は前記第１数量よりも大きい第２数量の送信ポートを使用することを確定する第２処理ユニットと、
ＵＥから送信された指示を受信する第２通信ユニットと、を備える。
【０００９】
本発明の実施例に係るネットワーク装置は、プロセッサ、及びプロセッサにより実行可能なコンピュータプログラムを記憶するように構成されるメモリを備え、
前記プロセッサは前記コンピュータプログラムを実行する時、前記方法のステップを実行するように構成される。
【００１０】
本発明の実施例に係るユーザー装置（ＵＥ）は、プロセッサ、及びプロセッサにより実行可能なコンピュータプログラムを記憶するように構成されるメモリを備え、
前記プロセッサは前記コンピュータプログラムを実行する時、前記方法のステップを実行するように構成される。
【００１１】
本発明の実施例に係るコンピュータ記憶媒体は、コンピュータ実行可能命令が記憶されており、前記コンピュータ実行可能命令が実行される時、前記方法のステップを実現する。
【発明の効果】
【００１２】
本発明の実施例の技術案によれば、帯域組合せ、及び周波数ポイント帯域幅組合せでのＵＥ性能状況に合わせて、現在の環境で第１数量又は第２数量の送信ポートを使用して通信を行うのをネットワーク側に指示することを確定することができる。このように、ネットワーク側が現在の環境でのＵＥの性能を取得でき、それにより該通信性能に基づいてＵＥに割り当てるリソースを確定でき、このように、ＵＥの通信性能を確保できる。
【図面の簡単な説明】
【００１３】
【図１】図１は本発明の実施例に係るＵＥの送信ポート数量を指示する方法の概略フローチャートである。
【図２】図２は本発明の実施例に係るユーザー装置の概略構成図である。
【図３】図３は本発明の実施例に係るネットワーク装置の概略構成図である。
【図４】図４は本発明の実施例に係るハードウェアアーキテクチャの概略図である。
【発明を実施するための形態】
【００１４】
本発明の実施例の特徴及び技術内容をより詳しく理解できるために、以下、図面を参照して本発明の実施例の実施形態を詳細に説明し、添付図面は単に参考及び説明のためのものであり、本発明の実施例を限定しない。
【００１５】
実施例１
本発明の実施例はユーザー装置（ＵＥ）の送信ポート数量を指示する方法を提供し、ＵＥに適用され、図１に示すように、
現在の帯域組合せが、性能低下の状況を有する帯域組合せである場合、現在の周波数ポイントと帯域幅との組合せでは性能低下の状況があるか否かを判断し、判断結果を取得するステップ１０１と、
前記判断結果に基づいて、前記ＵＥが第１数量又は前記第１数量よりも大きい第２数量の送信ポートを使用することをネットワーク側に指示することを確定するステップ１０２と、を含む。
【００１６】
ここで、前記第２数量はＵＥに備えられたすべての送信ポート（Ｔｘ）の数量、例えば、通常２個であり、第１数量は第２数量未満の正整数量、例えば、１個であり得る。
【００１７】
前記帯域組合せは、異なるシステムの帯域の組合せであってもよく、すなわち、１個の組合せは通常、少なくとも２個の帯域を含んでもよく、例えば、帯域組合せは１個のＬＴＥシステムの帯域、及び１個のＮＲシステムの帯域を含んでもよく、しかも、異なる帯域組合せに含まれる帯域は、少なくとも１個が異なり、すなわち、帯域組合せ１がＬＴＥ帯域１＋ＮＲ帯域１を含むとした場合、帯域組合せ２がＬＴＥ帯域１＋ＮＲ帯域２を含み、帯域組合せ３がＬＴＥ帯域３＋ＮＲ帯域３を含むようにしてもよい。
【００１８】
現在の帯域組合せに性能低下の状況があるか否かについては、ＵＥ側によって予め設定されたものであってもよく、ＵＥ側によって長期使用過程で総括して得られたものであってもよく、本実施例ではそれを限定しない。
【００１９】
また、性能低下の状況を有する帯域組合せでは、ＵＥは特定のエリア（例えば、特定のセル内）で通信を行う際に、通常、該セルに対応するチャネル又は周波数ポイントでしか通信しない。このとき、周波数ポイント及びそれに対応する帯域幅での通信状況が性能低下の状況でなく、従って、最も多い送信ポートを使用して通信を行うことができる。
【００２０】
以下、それぞれ異なる例に基づいて前記ステップを詳細に説明する。
【００２１】
例１
ステップ１０１を実行する前、ＵＥが接続状態に入った後、ネットワーク側に無線能力を送信する。
【００２２】
前記無線能力は、前記ＵＥの少なくとも１種の帯域組合せにおける性能低下指示情報を含み、前記帯域組合せは少なくとも２個の帯域を含み、前記性能低下指示情報は、対応する帯域組合せで性能低下の状況があるか否かを示すためのものである。
【００２３】
又は、前記無線能力は、前記ＵＥに少なくとも１種の帯域組合せで使用される送信ポートの数量を含み、前記帯域組合せは少なくとも２個の帯域を含む。
【００２４】
ＵＥの性能低下を引き起こす恐れがあるのは、例えば、ＩＭＤ（相互変調歪み）問題による性能低下が挙げられる。
【００２５】
すなわち、デュアル接続のシーンでは、２個のシステムの帯域組合せがＵＥの特性低下を引き起こす恐れがあり、この場合、無線能力によって、ＵＥのＥＮ−ＤＣシーンにおける各帯域（Ｂａｎｄ）組合せの性能低下指示をネットワーク側に通知し、性能低下問題がある場合、該指示はｔｕｒｅであり、デフォルトで１  ＴＸを使用するようにし、そうでない場合、該指示を報告しない。
【００２６】
又は、ある帯域組合せで１Ｔｘ指示を使用することを直接指示する。
【００２７】
また、前記無線能力をネットワーク側に報告した後、それに対応して、ネットワーク側はすべての能力情報をＣＮに転送して保存する。ＵＥが再び接続状態に入る時に、ネットワーク側はＵＥによる報告に依存せず、ＣＮ側からＵＥの無線能力情報を直接取得できる。
【００２８】
ＵＥがＵＥの無線能力情報をネットワーク側に報告し且つＣＮに保存したことを仮定する。ＵＥはセルにおいてセルの周波数ポイント及び帯域幅情報を取得する。
【００２９】
また、ＵＥはＥＮ−ＤＣに関する構成情報を取得した後、ＥＮ−ＤＣのほかのセルの周波数ポイント及び帯域幅情報を取得する。
【００３０】
これに基づいて、ネットワークは、あるＢＣ状況での端末のｃｈａｎｎｅｌ  ａｌｌｏｃａｔｉｏｎの２Ｔｘ能力情報を問い合わせしてもよく、すなわち、ステップ１０１を実行する前、ネットワーク側はＵＥの現在の帯域組合せが性能低下の状況を有する帯域組合せであることを確定し、ＵＥの現在のセルに対応する周波数ポイント及び帯域幅を確定した時に、ＵＥに能動的に問い合わせしてもよく、それによって周波数ポイントと帯域幅との組合せでのＵＥの性能低下の状況の有無を取得するステップをさらに含み、
それに対応して、ＵＥは前記問い合わせを受信する時に、ステップ１０１を実行する。
【００３１】
なお、ネットワーク側からの問い合わせを受信することは実施形態の１種であるが、実際にほかの実施形態を採用してもよく、例えば、ＵＥは現在のセルの周波数ポイント及び帯域幅を知った後に能動的に実行してもよく、現在の帯域組合せが、性能低下の状況を有する帯域組合せである場合、現在の周波数ポイントと帯域幅との組合せでは性能低下の状況があるか否かを判断し、判断結果を取得する。
【００３２】
更に、前記ステップ１０２では、前記判断結果に基づいて、前記ＵＥが第１数量又は第２数量の送信ポートを使用することをネットワーク側に指示することを確定することは、
現在の周波数ポイントと帯域幅との組合せでは性能低下の状況がないことが前記判断結果によって示される場合、前記ＵＥが第２数量の送信ポートを使用することを前記ネットワーク側に指示するステップをさらに含む。
【００３３】
すなわち、現在構成されているｂａｎｄ組合せでは性能低下問題がある場合、ＵＥは更に、現在の周波数ポイントと帯域幅との組合せでは性能低下問題があるか否かを判断し、ない場合、ＵＥはＲＲＣ接続再構成完了メッセージで、２ＴＸをサポートすることを指示する。そうでない場合、指示しない。
【００３４】
上記説明から分かるように、無線環境が変化すると、ＵＥはその現在の環境における帯域組合せ、及び周波数ポイントと帯域幅との組合せでは性能低下の状況があるか否かを判断する。例えば、ＵＥは前のセルにおいて使用される送信ポートの数量を既に確定したが、ＵＥの移動中、ＥＮ−ＤＣ構成が変化又は環境が変化（例えば、セル中心に接近する）する場合、ＵＥは現在構成されているｂａｎｄ組合せでは性能低下問題があるか否かを判断し、ある場合、ＵＥは更に現在の周波数ポイントと帯域幅との組合せでは性能低下問題があるか否かを判断し、ない場合、レスポンスメッセージで、２Ｔｘをサポートすることを指示する。
【００３５】
最後に、本例では、ＵＥはセカンダリセルグループＳＣＧ  ＳＲＢを介して、支持される送信ポート（Ｔｘ）の数量をネットワーク側に報告する場合、セカンダリセルグループの基地局は、該数量をＵＥのプライマリセルグループの所在する基地局側に送信し、すなわち、ＳＮはＸｎによって該ＴＸ数量をＭＮに転送する。
【００３６】
例２
ステップ１０１を実行する前、ネットワーク側から送信された構成情報であって、帯域組合せ、及び／又は、周波数ポイントと帯域幅との組合せを含む構成情報を受信するステップと、
前記構成情報に基づいて、前記帯域組合せ及び／又は前記周波数ポイントと帯域幅との組合せ、サポートする第１数量の送信ポート又はサポートする第２数量の送信ポートを確定するステップと、を含んでもよい。
【００３７】
すなわち、まず、ネットワークは可能なＢａｎｄ  Ｃｏｍｂｉｎａｔｉｏｎ又はＣｈａｎｎｅｌ  Ａｌｌｏｃａｔｉｏｎ構成を送信し、すなわち、ネットワーク側は現在管理しているすべてのセルに対応する帯域組合せ状況、及び帯域と帯域幅との組合せの状況を送信し、
ＵＥは受信したリストに基づいて、Ｃａｐａｂｉｌｉｔｙによってどれが第１数量１Ｔｘのみをサポートするか、どれが第２数量２Ｔｘを絶対サポートするかをマークし、このとき、第１数量及び第２数量をマークしているフィードバック情報をネットワーク側に送信する。
【００３８】
更に、端末はｐｒｅｆｅｒｅｎｃｅを送信して、問題があるｂａｎｄでも２Ｔｘをサポートできることをマークしてもよく、使用されるシグナリングはＵＥ補助情報であってもよく、
且つ、環境が変化する（例えば、ＵＥが移動する）場合、端末はｐｒｅｆｅｒｅｎｃｅを送信して、問題があるｂａｎｄでも２Ｔｘをサポートできることをマークしてもよく、使用されるシグナリングはＵＥ補助情報であってもよい。
【００３９】
例１と同様に、端末のｐｒｅｆｅｒｅｎｃｅマークは、ネットワークが２Ｔｘをサポートできるか否かを端末に問い合わせした後に送信されるものであってもよく、ＵＥ自体が変化を検出した後にネットワーク側に送信されるものであってもよい。
【００４０】
例３
前記方法は、前記ＵＥが第２数量の送信ポートをサポートできるか否かを示すハードウェア能力情報を、ネットワーク側に送信するステップをさらに含む。ハードウェア能力は、２Ｔｘ能力のサポートである。
【００４１】
前記した前記判断結果に基づいて、前記ＵＥが第１数量又は第２数量の送信ポートを使用することをネットワーク側に指示することを確定することは、
前記ＵＥが第２数量の送信ポートをサポートすることが前記ハードウェア能力情報によって示される場合、
現在の周波数ポイントと帯域幅との組合せでは性能低下の状況があることが前記判断結果によって示される場合、前記ＵＥが第１数量の送信ポートを使用することをネットワーク側に指示することを確定し、そうでない場合、前記ＵＥが使用する送信ポートの数量をネットワーク側に指示しないステップを含む。
【００４２】
報告方式は、ＵＥが動的ＲＲＣシグナリング、例えばＵＥ補助情報によって、現在の環境で２Ｔｘをサポートできるか否か、例えば１Ｔｘのみをサポートできることを報告することであってもよく、
ＵＥが報告する場合、ネットワークは１Ｔｘに基づいて構成し、又はリソース割り当てを調整し、ＵＥが報告しない場合、ネットワークは２Ｔｘに基づいて構成する。
【００４３】
例４
本例は、例１では無線能力をネットワーク側に送信するシーンに基づくものであり、
前記方法は、
無線能力をネットワーク側に送信した後、ネットワーク側から送信された少なくとも１個の周波数ポイントと帯域幅との組合せの問い合わせ情報を受信したか否かを判断するステップと、
ネットワーク側から送信された少なくとも１個の周波数ポイントと帯域幅との組合せの問い合わせ情報を受信した場合、前記少なくとも１個の周波数ポイントと帯域幅との組合せが第１数量又は第２数量の送信ポートをサポートすることをネットワーク側に送信するステップと、をさらに含む。
【００４４】
端末はまず、ｂａｎｄ組合せに基づくｃａｐａｂｉｌｉｔｙを報告し、ネットワークは端末からの報告を受信した後、ある又は幾つかのｂａｎｄ組合せに基づく、粒度がｃｈａｎｎｅｌであるｃａｐａｂｉｌｉｔｙについて、端末がさらに報告する必要があるか否かを更に指示する。
【００４５】
以上からわかるように、上記技術案によれば、帯域組合せ、及び周波数ポイント帯域幅組合せでのＵＥ性能状況に合わせて、現在の環境で第１数量又は第２数量の送信ポートを使用して通信を行うのをネットワーク側に指示することを確定することができる。このように、ネットワーク側が現在の環境でのＵＥの性能を取得でき、それにより該通信性能に基づいてＵＥに割り当てるリソースを確定でき、このように、ＵＥの通信性能を確保できる。
【００４６】
実施例２
本発明の実施例はユーザー装置（ＵＥ）の送信ポート数量を指示する方法を提供し、ネットワーク装置に適用され、現在の帯域組合せが、性能低下の状況を有する帯域組合せである場合、ＵＥから送信された指示を取得し、前記指示によって、前記ＵＥが第１数量又は前記第１数量よりも大きい第２数量の送信ポートを使用することを確定するステップを含む。
【００４７】
ここで、前記ネットワーク装置はＵＥを管理する基地局であってもよく、ＵＥが２個のネットワークに接続できる場合、例えば、プライマリセルグループ、及びセカンダリセルグループに接続する場合、その中の１個の基地局であってもよく、且つここでのプライマリセルグループ及びセカンダリセルグループは、それぞれＬＴＥセル及びＮＲセルであってもよい。最適実施例では、前記ネットワーク装置はプライマリセルグループ（すなわち、ＬＴＥセル）中の基地局であってもよい。
【００４８】
ここで、前記第２数量はＵＥに備えられたすべての送信ポート（Ｔｘ）の数量、例えば、通常２個であり、第１数量は第２数量未満の正整数量、例えば、１個であり得る。
【００４９】
前記帯域組合せは、異なるシステムの帯域の組合せであってもよく、すなわち、１個の組合せは通常、少なくとも２個の帯域を含んでもよく、例えば、帯域組合せは１個のＬＴＥシステムの帯域、及び１個のＮＲシステムの帯域を含んでもよく、しかも、異なる帯域組合せに含まれる帯域は、少なくとも１個が異なり、すなわち、帯域組合せ１がＬＴＥ帯域１＋ＮＲ帯域１を含むとした場合、帯域組合せ２がＬＴＥ帯域１＋ＮＲ帯域２を含み、帯域組合せ３がＬＴＥ帯域３＋ＮＲ帯域３を含むようにしてもよい。
【００５０】
現在の帯域組合せに性能低下の状況があるか否かについては、ＵＥ側によって予め設定されたものであってもよく、ＵＥ側によって長期使用過程で総括して得られたものであってもよく、本実施例ではそれを限定しない。
【００５１】
また、性能低下の状況を有する帯域組合せでは、ＵＥは特定のエリア（例えば、特定のセル内）で通信を行う際に、通常、該セルに対応するチャネル又は周波数ポイントでしか通信しない。このとき、周波数ポイント及びそれに対応する帯域幅での通信状況が性能低下の状況でなく、従って、最も多い送信ポートを使用して通信を行うことができる。
【００５２】
以下、それぞれ異なる例に基づいて前記ステップを詳細に説明する。
【００５３】
例１
前記ＵＥが接続状態に入った後、前記ＵＥに対応する無線能力がコアネットワーク側に保存されているか否かを判断し、保存されていない場合、無線能力を取得する要求情報を前記ＵＥに送信する。
【００５４】
前記無線能力は、前記ＵＥの少なくとも１種の帯域組合せにおける性能低下指示情報を含み、前記帯域組合せは少なくとも２個の帯域を含み、前記性能低下指示情報は、対応する帯域組合せで性能低下の状況があるか否かを示すためのものである。
【００５５】
又は、前記無線能力は、前記ＵＥに少なくとも１種の帯域組合せで使用される送信ポートの数量を含み、前記帯域組合せは少なくとも２個の帯域を含む。
【００５６】
ＵＥの性能低下を引き起こす恐れがあるのは、例えば、ＩＭＤ（相互変調歪み）問題による性能低下が挙げられる。
【００５７】
すなわち、デュアル接続のシーンでは、２個のシステムの帯域組合せがＵＥの特性低下を引き起こす恐れがあり、この場合、無線能力によって、ＵＥのＥＮ−ＤＣシーンにおける各帯域（Ｂａｎｄ）組合せの性能低下指示をネットワーク側に通知し、性能低下問題がある場合、該指示はｔｕｒｅであり、デフォルトで１  ＴＸを使用するようにし、そうでない場合、該指示を報告しない。
【００５８】
又は、ある帯域組合せで１Ｔｘ指示を使用することを直接指示する。
【００５９】
また、前記無線能力をネットワーク側に報告した後、それに対応して、ネットワーク側はすべての能力情報をＣＮに転送して保存する。ＵＥが再び接続状態に入る時に、ネットワーク側はＵＥによる報告に依存せず、ＣＮ側からＵＥの無線能力情報を直接取得できる。
【００６０】
ＵＥがＵＥの無線能力情報をネットワーク側に報告し且つＣＮに保存したことを仮定する。ＵＥはセルにおいてセルの周波数ポイント及び帯域幅情報を取得する。
【００６１】
また、ＵＥはＥＮ−ＤＣに関する構成情報を取得した後、ＥＮ−ＤＣのほかのセルの周波数ポイント及び帯域幅情報を取得する。
【００６２】
これに基づいて、ネットワークは、あるＢＣ状況での端末のｃｈａｎｎｅｌ  ａｌｌｏｃａｔｉｏｎの２Ｔｘ能力情報を問い合わせしてもよく、すなわち、ネットワーク側はＵＥの現在の帯域組合せが性能低下の状況を有する帯域組合せであることを確定し、ＵＥの現在のセルに対応する周波数ポイント及び帯域幅を確定した時に、ＵＥに能動的に問い合わせしてもよく、それによって周波数ポイントと帯域幅との組合せでのＵＥの性能低下の状況の有無を取得する。
【００６３】
なお、ネットワーク側からの問い合わせを受信することは実施形態の１種であるが、実際にほかの実施形態を採用してもよく、例えば、ＵＥは現在のセルの周波数ポイント及び帯域幅を知った後に能動的に実行してもよく、現在の帯域組合せが、性能低下の状況を有する帯域組合せである場合、現在の周波数ポイントと帯域幅との組合せでは性能低下の状況があるか否かを判断し、判断結果を取得する。
【００６４】
更に、受信した指示によって、前記ＵＥが第２数量の送信ポートを使用することが示される場合、前記ＵＥに対応する現在の周波数ポイントと帯域幅との組合せでは性能低下の状況がないことを確定する。
【００６５】
すなわち、現在構成されているｂａｎｄ組合せでは性能低下問題がある場合、ＵＥは更に、現在の周波数ポイントと帯域幅との組合せでは性能低下問題があるか否かを判断し、ない場合、ＵＥはＲＲＣ接続再構成完了メッセージで、２ＴＸをサポートすることを指示する。そうでない場合、指示しない。
【００６６】
上記説明から分かるように、無線環境が変化すると、ＵＥはその現在の環境における帯域組合せ、及び周波数ポイントと帯域幅との組合せでは性能低下の状況があるか否かを判断する。例えば、ＵＥは前のセルにおいて使用される送信ポートの数量を既に確定したが、ＵＥの移動中、ＥＮ−ＤＣ構成が変化又は環境が変化（例えば、セル中心に接近する）する場合、ＵＥは現在構成されているｂａｎｄ組合せでは性能低下問題があるか否かを判断し、ある場合、ＵＥは更に現在の周波数ポイントと帯域幅との組合せでは性能低下問題があるか否かを判断し、ない場合、レスポンスメッセージで、２Ｔｘをサポートすることを指示する。
【００６７】
最後に、本例では、ＵＥがセカンダリセルグループによってネットワーク側に指示を送信する場合、前記セカンダリセルグループから送信された前記指示をＸｎを介して取得する。具体的には、ＵＥはセカンダリセルグループＳＣＧ  ＳＲＢを介して、支持される送信ポート（Ｔｘ）の数量をネットワーク側に報告する場合、セカンダリセルグループの基地局は、該数量をＵＥのプライマリセルグループの所在する基地局側に送信し、すなわち、ＳＮはＸｎによって該ＴＸ数量をＭＮに転送する。
【００６８】
例２
帯域組合せ、及び／又は、周波数ポイントと帯域幅との組合せを含む構成情報をＵＥに送信し、
それに対応して、前記ＵＥはネットワーク側から送信された構成情報であって、帯域組合せ、及び／又は、周波数ポイントと帯域幅との組合せを含む構成情報を受信し、前記構成情報に基づいて、前記帯域組合せ及び／又は前記周波数ポイントと帯域幅との組合せ、サポートする第１数量の送信ポート又はサポートする第２数量の送信ポートを確定する。
【００６９】
すなわち、まず、ネットワークは可能なＢａｎｄ  Ｃｏｍｂｉｎａｔｉｏｎ又はＣｈａｎｎｅｌ  Ａｌｌｏｃａｔｉｏｎ構成を送信し、すなわち、ネットワーク側は現在管理しているすべてのセルに対応する帯域組合せ状況、及び帯域と帯域幅との組合せの状況を送信し、
ＵＥは受信したリストに基づいて、Ｃａｐａｂｉｌｉｔｙによってどれが第１数量１Ｔｘのみをサポートするか、どれが第２数量２Ｔｘを絶対サポートするかをマークし、このとき、第１数量及び第２数量をマークしているフィードバック情報をネットワーク側に送信する。
【００７０】
更に、端末はｐｒｅｆｅｒｅｎｃｅを送信して、問題があるｂａｎｄでも２Ｔｘをサポートできることをマークしてもよく、使用されるシグナリングはＵＥ補助情報であってもよく、
且つ、環境が変化する（例えば、ＵＥが移動する）場合、端末はｐｒｅｆｅｒｅｎｃｅを送信して、問題があるｂａｎｄでも２Ｔｘをサポートできることをマークしてもよく、使用されるシグナリングはＵＥ補助情報であってもよい。
【００７１】
例１と同様に、端末のｐｒｅｆｅｒｅｎｃｅマークは、ネットワークが２Ｔｘをサポートできるか否かを端末に問い合わせした後に送信されるものであってもよく、ＵＥ自体が変化を検出した後にネットワーク側に送信されるものであってもよい。
【００７２】
例３
ＵＥから送信されたハードウェア能力情報であって、前記ＵＥが第２数量の送信ポートをサポートできるか否かを示すハードウェア能力情報を受信し、ハードウェア能力は、２Ｔｘ能力のサポートである。
【００７３】
第１数量の送信ポートを使用することを示す、ＵＥから送信された指示を受信した場合、前記第１数量の送信ポートに基づいてリソース割り当てを行い、
第１数量の送信ポートを使用することを示す、ＵＥから送信された指示が受信されていない場合、前記第２数量の送信ポートに基づいてリソース割り当てを行う。
【００７４】
報告方式は、ＵＥが動的ＲＲＣシグナリング、例えばＵＥ補助情報によって、現在の環境で２Ｔｘをサポートできるか否か、例えば１Ｔｘのみをサポートできることを報告することであってもよく、
ＵＥが報告する場合、ネットワークは１Ｔｘに基づいて構成し、又はリソース割り当てを調整し、ＵＥが報告しない場合、ネットワークは２Ｔｘに基づいて構成する。
【００７５】
例４
本例は、例１では無線能力をネットワーク側に送信するシーンに基づくものであり、
ＵＥから送信された無線能力を受信した後、少なくとも１個の周波数ポイントと帯域幅との組合せの問い合わせ情報を前記ＵＥに送信し、
前記ＵＥから送信された、前記少なくとも１個の周波数ポイントと帯域幅との組合せが第１数量又は第２数量の送信ポートをサポートすることを受信する。
【００７６】
すなわち、端末はまず、ｂａｎｄ組合せに基づくｃａｐａｂｉｌｉｔｙを報告し、ネットワークは端末からの報告を受信した後、ある又は幾つかのｂａｎｄ組合せに基づく、粒度がｃｈａｎｎｅｌであるｃａｐａｂｉｌｉｔｙについて、端末がさらに報告する必要があるか否かを更に指示する。
【００７７】
以上からわかるように、上記技術案によれば、帯域組合せ、及び周波数ポイント帯域幅組合せでのＵＥ性能状況に合わせて、現在の環境で第１数量又は第２数量の送信ポートを使用して通信を行うのをネットワーク側に指示することを確定することができる。このように、ネットワーク側が現在の環境でのＵＥの性能を取得でき、それにより該通信性能に基づいてＵＥに割り当てるリソースを確定でき、このように、ＵＥの通信性能を確保できる。
【００７８】
実施例３
本発明の実施例はＵＥを提供し、図２に示すように、
現在の帯域組合せが、性能低下の状況を有する帯域組合せである場合、現在の周波数ポイントと帯域幅との組合せでは性能低下の状況があるか否かを判断し、判断結果を取得し、前記判断結果に基づいて、前記ＵＥが第１数量又は前記第１数量よりも大きい第２数量の送信ポートを使用することをネットワーク側に指示することを確定する第１処理ユニット２１と、
前記指示をネットワーク側に送信する第１通信ユニット２２と、を備える。
【００７９】
ここで、前記第２数量はＵＥに備えられたすべての送信ポート（Ｔｘ）の数量、例えば、通常２個であり、第１数量は第２数量未満の正整数量、例えば、１個であり得る。
【００８０】
前記帯域組合せは、異なるシステムの帯域の組合せであってもよく、すなわち、１個の組合せは通常、少なくとも２個の帯域を含んでもよく、例えば、帯域組合せは１個のＬＴＥシステムの帯域、及び１個のＮＲシステムの帯域を含んでもよく、しかも、異なる帯域組合せに含まれる帯域は、少なくとも１個が異なり、すなわち、帯域組合せ１がＬＴＥ帯域１＋ＮＲ帯域１を含むとした場合、帯域組合せ２がＬＴＥ帯域１＋ＮＲ帯域２を含み、帯域組合せ３がＬＴＥ帯域３＋ＮＲ帯域３を含むようにしてもよい。
【００８１】
現在の帯域組合せに性能低下の状況があるか否かについては、ＵＥ側によって予め設定されたものであってもよく、ＵＥ側によって長期使用過程で総括して得られたものであってもよく、本実施例ではそれを限定しない。
【００８２】
また、性能低下の状況を有する帯域組合せでは、ＵＥは特定のエリア（例えば、特定のセル内）で通信を行う際に、通常、該セルに対応するチャネル又は周波数ポイントでしか通信しない。このとき、周波数ポイント及びそれに対応する帯域幅での通信状況が性能低下の状況でなく、従って、最も多い送信ポートを使用して通信を行うことができる。
【００８３】
以下、それぞれ異なる例に基づいて前記ステップを詳細に説明する。
【００８４】
例１
第１通信ユニット２２は、ＵＥが接続状態に入った後、ネットワーク側に無線能力を送信する。
【００８５】
前記無線能力は、前記ＵＥの少なくとも１種の帯域組合せにおける性能低下指示情報を含み、前記帯域組合せは少なくとも２個の帯域を含み、前記性能低下指示情報は、対応する帯域組合せで性能低下の状況があるか否かを示すためのものである。
【００８６】
又は、前記無線能力は、前記ＵＥに少なくとも１種の帯域組合せで使用される送信ポートの数量を含み、前記帯域組合せは少なくとも２個の帯域を含む。
【００８７】
ＵＥの性能低下を引き起こす恐れがあるのは、例えば、ＩＭＤ（相互変調歪み）問題による性能低下が挙げられる。
【００８８】
すなわち、デュアル接続のシーンでは、２個のシステムの帯域組合せがＵＥの特性低下を引き起こす恐れがあり、この場合、無線能力によって、ＵＥのＥＮ−ＤＣシーンにおける各帯域（Ｂａｎｄ）組合せの性能低下指示をネットワーク側に通知し、性能低下問題がある場合、該指示はｔｕｒｅであり、デフォルトで１  ＴＸを使用するようにし、そうでない場合、該指示を報告しない。
【００８９】
又は、ある帯域組合せで１Ｔｘ指示を使用することを直接指示する。
【００９０】
また、前記無線能力をネットワーク側に報告した後、それに対応して、ネットワーク側はすべての能力情報をＣＮに転送して保存する。ＵＥが再び接続状態に入る時に、ネットワーク側はＵＥによる報告に依存せず、ＣＮ側からＵＥの無線能力情報を直接取得できる。
【００９１】
ＵＥがＵＥの無線能力情報をネットワーク側に報告し且つＣＮに保存したことを仮定する。ＵＥはセルにおいてセルの周波数ポイント及び帯域幅情報を取得する。
【００９２】
また、ＵＥはＥＮ−ＤＣに関する構成情報を取得した後、ＥＮ−ＤＣのほかのセルの周波数ポイント及び帯域幅情報を取得する。
【００９３】
これに基づいて、ネットワークは、あるＢＣ状況での端末のｃｈａｎｎｅｌ  ａｌｌｏｃａｔｉｏｎの２Ｔｘ能力情報を問い合わせしてもよく、ネットワーク側はＵＥの現在の帯域組合せが性能低下の状況を有する帯域組合せであることを確定し、ＵＥの現在のセルに対応する周波数ポイント及び帯域幅を確定した時に、ＵＥに能動的に問い合わせしてもよく、それによって周波数ポイントと帯域幅との組合せでのＵＥの性能低下の状況の有無を取得する。
【００９４】
なお、ネットワーク側からの問い合わせを受信することは実施形態の１種であるが、実際にほかの実施形態を採用してもよく、例えば、ＵＥは現在のセルの周波数ポイント及び帯域幅を知った後に能動的に実行してもよく、現在の帯域組合せが、性能低下の状況を有する帯域組合せである場合、現在の周波数ポイントと帯域幅との組合せでは性能低下の状況があるか否かを判断し、判断結果を取得する。
【００９５】
更に、第１処理ユニット２１は、現在の周波数ポイントと帯域幅との組合せでは性能低下の状況がないことが前記判断結果によって示される場合、前記ＵＥが第２数量の送信ポートを使用することを前記ネットワーク側に指示する。
【００９６】
すなわち、現在構成されているｂａｎｄ組合せでは性能低下問題がある場合、ＵＥは更に、現在の周波数ポイントと帯域幅との組合せでは性能低下問題があるか否かを判断し、ない場合、ＵＥはＲＲＣ接続再構成完了メッセージで、２ＴＸをサポートすることを指示する。そうでない場合、指示しない。
【００９７】
上記説明から分かるように、無線環境が変化すると、ＵＥはその現在の環境における帯域組合せ、及び周波数ポイントと帯域幅との組合せでは性能低下の状況があるか否かを判断する。例えば、ＵＥは前のセルにおいて使用される送信ポートの数量を既に確定したが、ＵＥの移動中、ＥＮ−ＤＣ構成が変化又は環境が変化（例えば、セル中心に接近する）する場合、ＵＥは現在構成されているｂａｎｄ組合せでは性能低下問題があるか否かを判断し、ある場合、ＵＥは更に現在の周波数ポイントと帯域幅との組合せでは性能低下問題があるか否かを判断し、ない場合、レスポンスメッセージで、２Ｔｘをサポートすることを指示する。
【００９８】
最後に、本例では、ＵＥはセカンダリセルグループＳＣＧ  ＳＲＢを介して、支持される送信ポート（Ｔｘ）の数量をネットワーク側に報告する場合、セカンダリセルグループの基地局は、該数量をＵＥのプライマリセルグループの所在する基地局側に送信し、すなわち、ＳＮはＸｎによって該ＴＸ数量をＭＮに転送する。
【００９９】
例２
前記第１通信ユニット２２は、ネットワーク側から送信された構成情報であって、帯域組合せ、及び／又は、周波数ポイントと帯域幅との組合せを含む構成情報を受信し、
それに対応して、前記第１処理ユニット２１は、前記構成情報に基づいて、前記帯域組合せ及び／又は前記周波数ポイントと帯域幅との組合せ、サポートする第１数量の送信ポート又はサポートする第２数量の送信ポートを確定する。
【０１００】
すなわち、まず、ネットワークは可能なＢａｎｄ  Ｃｏｍｂｉｎａｔｉｏｎ又はＣｈａｎｎｅｌ  Ａｌｌｏｃａｔｉｏｎ構成を送信し、すなわち、ネットワーク側は現在管理しているすべてのセルに対応する帯域組合せ状況、及び帯域と帯域幅との組合せの状況を送信し、
ＵＥは受信したリストに基づいて、Ｃａｐａｂｉｌｉｔｙによってどれが第１数量１Ｔｘのみをサポートするか、どれが第２数量２Ｔｘを絶対サポートするかをマークし、このとき、第１数量及び第２数量をマークしているフィードバック情報をネットワーク側に送信する。
【０１０１】
更に、端末はｐｒｅｆｅｒｅｎｃｅを送信して、問題があるｂａｎｄでも２Ｔｘをサポートできることをマークしてもよく、使用されるシグナリングはＵＥ補助情報であってもよく、
且つ、環境が変化する（例えば、ＵＥが移動する）場合、端末はｐｒｅｆｅｒｅｎｃｅを送信して、問題があるｂａｎｄでも２Ｔｘをサポートできることをマークしてもよく、使用されるシグナリングはＵＥ補助情報であってもよい。
【０１０２】
例１と同様に、端末のｐｒｅｆｅｒｅｎｃｅマークは、ネットワークが２Ｔｘをサポートできるか否かを端末に問い合わせした後に送信されるものであってもよく、ＵＥ自体が変化を検出した後にネットワーク側に送信されるものであってもよい。
【０１０３】
例３
前記第１通信ユニット２２は、前記ＵＥが第２数量の送信ポートをサポートできるか否かを示すハードウェア能力情報を、ネットワーク側に送信する。ハードウェア能力は、２Ｔｘ能力のサポートである。
【０１０４】
前記第１処理ユニット２１は、前記ＵＥが第２数量の送信ポートをサポートすることが前記ハードウェア能力情報によって示される場合、
現在の周波数ポイントと帯域幅との組合せでは性能低下の状況があることが前記判断結果によって示される場合、前記ＵＥが第１数量の送信ポートを使用することをネットワーク側に指示することを確定し、そうでない場合、前記ＵＥが使用する送信ポートの数量をネットワーク側に指示しない。
【０１０５】
報告方式は、ＵＥが動的ＲＲＣシグナリング、例えばＵＥ補助情報によって、現在の環境で２Ｔｘをサポートできるか否か、例えば１Ｔｘのみをサポートできることを報告することであってもよく、
ＵＥが報告する場合、ネットワークは１Ｔｘに基づいて構成し、又はリソース割り当てを調整し、ＵＥが報告しない場合、ネットワークは２Ｔｘに基づいて構成する。
【０１０６】
例４
本例は、例１では無線能力をネットワーク側に送信するシーンに基づくものであり、
前記第１処理ユニット２１は、無線能力をネットワーク側に送信した後、ネットワーク側から送信された少なくとも１個の周波数ポイントと帯域幅との組合せの問い合わせ情報を受信したか否かを判断し、
ネットワーク側から送信された少なくとも１個の周波数ポイントと帯域幅との組合せの問い合わせ情報を受信した場合、前記少なくとも１個の周波数ポイントと帯域幅との組合せが第１数量又は第２数量の送信ポートをサポートすることをネットワーク側に送信する。
【０１０７】
端末はまず、ｂａｎｄ組合せに基づくｃａｐａｂｉｌｉｔｙを報告し、ネットワークは端末からの報告を受信した後、ある又は幾つかのｂａｎｄ組合せに基づく、粒度がｃｈａｎｎｅｌであるｃａｐａｂｉｌｉｔｙについて、端末がさらに報告する必要があるか否かを更に指示する。
【０１０８】
以上からわかるように、上記技術案によれば、帯域組合せ、及び周波数ポイント帯域幅組合せでのＵＥ性能状況に合わせて、現在の環境で第１数量又は第２数量の送信ポートを使用して通信を行うのをネットワーク側に指示することを確定することができる。このように、ネットワーク側が現在の環境でのＵＥの性能を取得でき、それにより該通信性能に基づいてＵＥに割り当てるリソースを確定でき、このように、ＵＥの通信性能を確保できる。
【０１０９】
実施例４
本発明の実施例はネットワーク装置を提供し、図３に示すように、
現在の帯域組合せが、性能低下の状況を有する帯域組合せである場合、ＵＥから送信された指示を取得し、前記指示によって、前記ＵＥが第１数量又は前記第１数量よりも大きい第２数量の送信ポートを使用することを確定する第２処理ユニット３１と、
ＵＥから送信された指示を受信する第２通信ユニット３２と、を備える。
【０１１０】
前記ネットワーク装置はＵＥを管理する基地局であってもよく、ＵＥが２個のネットワークに接続できる場合、例えば、プライマリセルグループ、及びセカンダリセルグループに接続する場合、その中の１個の基地局であってもよく、且つここでのプライマリセルグループ及びセカンダリセルグループは、それぞれＬＴＥセル及びＮＲセルであってもよい。最適実施例では、前記ネットワーク装置はプライマリセルグループ（すなわち、ＬＴＥセル）中の基地局であってもよい。
【０１１１】
ここで、前記第２数量はＵＥに備えられたすべての送信ポート（Ｔｘ）の数量、例えば、通常２個であり、第１数量は第２数量未満の正整数量、例えば、１個であり得る。
【０１１２】
前記帯域組合せは、異なるシステムの帯域の組合せであってもよく、すなわち、１個の組合せは通常、少なくとも２個の帯域を含んでもよく、例えば、帯域組合せは１個のＬＴＥシステムの帯域、及び１個のＮＲシステムの帯域を含んでもよく、しかも、異なる帯域組合せに含まれる帯域は、少なくとも１個が異なり、すなわち、帯域組合せ１がＬＴＥ帯域１＋ＮＲ帯域１を含むとした場合、帯域組合せ２がＬＴＥ帯域１＋ＮＲ帯域２を含み、帯域組合せ３がＬＴＥ帯域３＋ＮＲ帯域３を含むようにしてもよい。
【０１１３】
現在の帯域組合せに性能低下の状況があるか否かについては、ＵＥ側によって予め設定されたものであってもよく、ＵＥ側によって長期使用過程で総括して得られたものであってもよく、本実施例ではそれを限定しない。
【０１１４】
また、性能低下の状況を有する帯域組合せでは、ＵＥは特定のエリア（例えば、特定のセル内）で通信を行う際に、通常、該セルに対応するチャネル又は周波数ポイントでしか通信しない。このとき、周波数ポイント及びそれに対応する帯域幅での通信状況が性能低下の状況でなく、従って、最も多い送信ポートを使用して通信を行うことができる。
【０１１５】
以下、それぞれ異なる例に基づいて前記ステップを詳細に説明する。
【０１１６】
例１
前記ＵＥが接続状態に入った後、前記ＵＥに対応する無線能力がコアネットワーク側に保存されているか否かを判断し、保存されていない場合、無線能力を取得する要求情報を前記ＵＥに送信する。
【０１１７】
前記無線能力は、前記ＵＥの少なくとも１種の帯域組合せにおける性能低下指示情報を含み、前記帯域組合せは少なくとも２個の帯域を含み、前記性能低下指示情報は、対応する帯域組合せで性能低下の状況があるか否かを示すためのものである。
【０１１８】
又は、前記無線能力は、前記ＵＥに少なくとも１種の帯域組合せで使用される送信ポートの数量を含み、前記帯域組合せは少なくとも２個の帯域を含む。
【０１１９】
ＵＥの性能低下を引き起こす恐れがあるのは、例えば、ＩＭＤ（相互変調歪み）問題による性能低下が挙げられる。
【０１２０】
すなわち、デュアル接続のシーンでは、２個のシステムの帯域組合せがＵＥの特性低下を引き起こす恐れがあり、この場合、無線能力によって、ＵＥのＥＮ−ＤＣシーンにおける各帯域（Ｂａｎｄ）組合せの性能低下指示をネットワーク側に通知し、性能低下問題がある場合、該指示はｔｕｒｅであり、デフォルトで１  ＴＸを使用するようにし、そうでない場合、該指示を報告しない。
【０１２１】
又は、ある帯域組合せで１Ｔｘ指示を使用することを直接指示する。
【０１２２】
また、前記無線能力をネットワーク側に報告した後、それに対応して、ネットワーク側はすべての能力情報をＣＮに転送して保存する。ＵＥが再び接続状態に入る時に、ネットワーク側はＵＥによる報告に依存せず、ＣＮ側からＵＥの無線能力情報を直接取得できる。
【０１２３】
ＵＥがＵＥの無線能力情報をネットワーク側に報告し且つＣＮに保存したことを仮定する。ＵＥはセルにおいてセルの周波数ポイント及び帯域幅情報を取得する。
【０１２４】
また、ＵＥはＥＮ−ＤＣに関する構成情報を取得した後、ＥＮ−ＤＣのほかのセルの周波数ポイント及び帯域幅情報を取得する。
【０１２５】
これに基づいて、ネットワークは、あるＢＣ状況での端末のｃｈａｎｎｅｌ  ａｌｌｏｃａｔｉｏｎの２Ｔｘ能力情報を問い合わせしてもよく、すなわち、ネットワーク側はＵＥの現在の帯域組合せが性能低下の状況を有する帯域組合せであることを確定し、ＵＥの現在のセルに対応する周波数ポイント及び帯域幅を確定した時に、ＵＥに能動的に問い合わせしてもよく、それによって周波数ポイントと帯域幅との組合せでのＵＥの性能低下の状況の有無を取得する。
【０１２６】
なお、ネットワーク側からの問い合わせを受信することは実施形態の１種であるが、実際にほかの実施形態を採用してもよく、例えば、ＵＥは現在のセルの周波数ポイント及び帯域幅を知った後に能動的に実行してもよく、現在の帯域組合せが、性能低下の状況を有する帯域組合せである場合、現在の周波数ポイントと帯域幅との組合せでは性能低下の状況があるか否かを判断し、判断結果を取得する。
【０１２７】
更に、受信した指示によって、前記ＵＥが第２数量の送信ポートを使用することが示される場合、前記ＵＥに対応する現在の周波数ポイントと帯域幅との組合せでは性能低下の状況がないことを確定する。
【０１２８】
すなわち、現在構成されているｂａｎｄ組合せでは性能低下問題がある場合、ＵＥは更に、現在の周波数ポイントと帯域幅との組合せでは性能低下問題があるか否かを判断し、ない場合、ＵＥはＲＲＣ接続再構成完了メッセージで、２ＴＸをサポートすることを指示する。そうでない場合、指示しない。
【０１２９】
上記説明から分かるように、無線環境が変化すると、ＵＥはその現在の環境における帯域組合せ、及び周波数ポイントと帯域幅との組合せでは性能低下の状況があるか否かを判断する。例えば、ＵＥは前のセルにおいて使用される送信ポートの数量を既に確定したが、ＵＥの移動中、ＥＮ−ＤＣ構成が変化又は環境が変化（例えば、セル中心に接近する）する場合、ＵＥは現在構成されているｂａｎｄ組合せでは性能低下問題があるか否かを判断し、ある場合、ＵＥは更に現在の周波数ポイントと帯域幅との組合せでは性能低下問題があるか否かを判断し、ない場合、レスポンスメッセージで、２Ｔｘをサポートすることを指示する。
【０１３０】
最後に、本例では、ＵＥがセカンダリセルグループによってネットワーク側に指示を送信する場合、前記セカンダリセルグループから送信された前記指示をＸｎを介して取得する。前記第２通信ユニットは、ＵＥがセカンダリセルグループＳＣＧ  ＳＲＢによって支持する送信ポート（Ｔｘ）の数量をネットワーク側に報告する場合、セカンダリセルグループの基地局は、該数量をＵＥのプライマリセルグループの所在する基地局側に送信し、すなわち、ＳＮはＸｎによって該ＴＸ数量をＭＮに転送する。
【０１３１】
例２
前記第２通信ユニットは、帯域組合せ、及び／又は、周波数ポイントと帯域幅との組合せを含む構成情報をＵＥに送信し、
それに対応して、前記ＵＥはネットワーク側から送信された構成情報であって、帯域組合せ、及び／又は、周波数ポイントと帯域幅との組合せを含む構成情報を受信し、前記構成情報に基づいて、前記帯域組合せ及び／又は前記周波数ポイントと帯域幅との組合せ、サポートする第１数量の送信ポート又はサポートする第２数量の送信ポートを確定する。
【０１３２】
すなわち、まず、ネットワークは可能なＢａｎｄ  Ｃｏｍｂｉｎａｔｉｏｎ又はＣｈａｎｎｅｌ  Ａｌｌｏｃａｔｉｏｎ構成を送信し、すなわち、ネットワーク側は現在管理しているすべてのセルに対応する帯域組合せ状況、及び帯域と帯域幅との組合せの状況を送信し、
ＵＥは受信したリストに基づいて、Ｃａｐａｂｉｌｉｔｙによってどれが第１数量１Ｔｘのみをサポートするか、どれが第２数量２Ｔｘを絶対サポートするかをマークし、このとき、第１数量及び第２数量をマークしているフィードバック情報をネットワーク側に送信する。
【０１３３】
更に、端末はｐｒｅｆｅｒｅｎｃｅを送信して、問題があるｂａｎｄでも２Ｔｘをサポートできることをマークしてもよく、使用されるシグナリングはＵＥ補助情報であってもよく、
且つ、環境が変化する（例えば、ＵＥが移動する）場合、端末はｐｒｅｆｅｒｅｎｃｅを送信して、問題があるｂａｎｄでも２Ｔｘをサポートできることをマークしてもよく、使用されるシグナリングはＵＥ補助情報であってもよい。
【０１３４】
例１と同様に、端末のｐｒｅｆｅｒｅｎｃｅマークは、ネットワークが２Ｔｘをサポートできるか否かを端末に問い合わせした後に送信されるものであってもよく、ＵＥ自体が変化を検出した後にネットワーク側に送信されるものであってもよい。
【０１３５】
例３
前記第２通信ユニットは、ＵＥから送信されたハードウェア能力情報であって、前記ＵＥが第２数量の送信ポートをサポートできるか否かを示すハードウェア能力情報を受信し、ハードウェア能力は、２Ｔｘ能力のサポートである。
【０１３６】
前記第２処理ユニットは、第１数量の送信ポートを使用することを示す、ＵＥから送信された指示を受信した場合、前記第１数量の送信ポートに基づいてリソース割り当てを行い、
第１数量の送信ポートを使用することを示す、ＵＥから送信された指示が受信されていない場合、前記第２数量の送信ポートに基づいてリソース割り当てを行う。
【０１３７】
報告方式は、ＵＥが動的ＲＲＣシグナリング、例えばＵＥ補助情報によって、現在の環境で２Ｔｘをサポートできるか否か、例えば１Ｔｘのみをサポートできることを報告することであってもよく、
ＵＥが報告する場合、ネットワークは１Ｔｘに基づいて構成し、又はリソース割り当てを調整し、ＵＥが報告しない場合、ネットワークは２Ｔｘに基づいて構成する。
【０１３８】
例４
本例は、例１では無線能力をネットワーク側に送信するシーンに基づくものであり、
ＵＥから送信された無線能力を受信した後、少なくとも１個の周波数ポイントと帯域幅との組合せの問い合わせ情報を前記ＵＥに送信し、
前記ＵＥから送信された、前記少なくとも１個の周波数ポイントと帯域幅との組合せが第１数量又は第２数量の送信ポートをサポートすることを受信する。
【０１３９】
すなわち、端末はまず、ｂａｎｄ組合せに基づくｃａｐａｂｉｌｉｔｙを報告し、ネットワークは端末からの報告を受信した後、ある又は幾つかのｂａｎｄ組合せに基づく、粒度がｃｈａｎｎｅｌであるｃａｐａｂｉｌｉｔｙについて、端末がさらに報告する必要があるか否かを更に指示する。
【０１４０】
以上からわかるように、上記技術案によれば、帯域組合せ、及び周波数ポイント帯域幅組合せでのＵＥ性能状況に合わせて、現在の環境で第１数量又は第２数量の送信ポートを使用して通信を行うのをネットワーク側に指示することを確定することができる。このように、ネットワーク側が現在の環境でのＵＥの性能を取得でき、それにより該通信性能に基づいてＵＥに割り当てるリソースを確定でき、このように、ＵＥの通信性能を確保できる。
【０１４１】
本発明の実施例はさらにネットワーク装置又はユーザー装置のハードウェアアーキテクチャを提供し、図４に示すように、少なくとも１個のプロセッサ４１、メモリ４２、及び少なくとも１個のネットワークインタフェース４３を備える。各要素はバスシステム４４によって一体に結合される。なお、バスシステム４４はこれらの要素間の接続通信を実現するように構成される。バスシステム４４はデータバスに加えて、電源バス、制御バス及び状態信号バスをさらに含む。しかし、説明の明瞭さの点から、図４では各種のバスはバスシステム４４と総称されている。
【０１４２】
なお、本発明の実施例におけるメモリ４２は揮発性メモリ又は不揮発性メモリであり、又は揮発性及び不揮発性メモリの両方を含むようにしてもよい。
【０１４３】
いくつかの実施形態では、メモリ４２は、実行可能モジュール又はデータ構造、又はそれらのサブセット、又はそれらの拡張セット、
オペレーティングシステム４２１及びアプリケーションプログラム４２２が記憶されている。
【０１４４】
ここで、前記プロセッサ４１は、前記実施例１又は２の方法のステップを処理できるように構成され、ここでは詳細説明をしない。
【０１４５】
本発明の実施例に係るコンピュータ記憶媒体は、コンピュータ実行可能命令が記憶されており、前記コンピュータ実行可能命令が実行される時、前記実施例１又は２の方法のステップを実行する。
【０１４６】
本発明の実施例に係る上記装置はソフトウェア機能モジュールの形態で実装され且つ独立した製品として販売又は使用される場合、コンピュータ可読記憶媒体に記憶されてもよい。このような理解に基づいて、本発明の実施例の技術案は本質的には又は従来技術に貢献する部分はソフトウェア製品の形態で具現化でき、該コンピュータソフトウェア製品は記憶媒体に記憶され、コンピュータ装置（パソコン、サーバ、又はネットワーク装置等）に本発明の各実施例に記載の方法のすべて又は一部を実行させるための複数量の命令を含む。前記記憶媒体は、Ｕディスク、モバイルディスク、読み出し専用メモリ（ＲＯＭ：Ｒｅａｄ  Ｏｎｌｙ  Ｍｅｍｏｒｙ）、磁気ディスク又は光ディスクなどプログラムコードを記憶可能な種々の媒体を含む。このように、本発明の実施例は特定のハードウェアとソフトウェアとの組合せに限定されない。
【０１４７】
それに対応して、本発明の実施例はさらにコンピュータ記憶媒体を提供し、本発明の実施例に係るデータスケジューリング方法を実行するように構成されるコンピュータプログラムが記憶されている。
【０１４８】
以上、例示のために、本発明の好適実施例を開示したが、当業者は種々の改良、追加や置換を想到でき、従って、本発明の範囲は上記実施例に限定されるものではない。
【図１】
2020537831.tif 000003
【図２】
2020537831.tif 000004
【図３】
2020537831.tif 000005
【図４】
2020537831.tif 000006
【手続補正書】
【提出日】令和2年8月24日(2020.8.24)
【手続補正１】
【補正対象書類名】特許請求の範囲
【補正対象項目名】全文
【補正方法】変更
【補正の内容】
【特許請求の範囲】
【請求項１】
ユーザー装置（ＵＥ）の送信ポート数量を指示する方法であって、ＵＥによって実行され、
現在の帯域組合せが、性能低下の状況を有する帯域組合せである場合、現在の周波数ポイントと帯域幅との組合せでは性能低下の状況があるか否かを判断し、判断結果を取得するステップと、
前記判断結果に基づいて、前記ＵＥが、第１数量又は前記第１数量よりも大きい第２数量の送信ポートを使用することをネットワーク側に指示することを確定するステップと、を含むユーザー装置の送信ポート数量を指示する方法。
【請求項２】
前記した前記判断結果に基づいて、前記ＵＥが第１数量又は第２数量の送信ポートを使用することをネットワーク側に指示することを確定することは、
現在の周波数ポイントと帯域幅との組合せでは性能低下の状況がないことが前記判断結果によって示される場合、前記ＵＥが第２数量の送信ポートを使用することを前記ネットワーク側に指示するステップをさらに含む請求項１に記載の方法。
【請求項３】
接続状態に入った後、無線能力をネットワーク側に送信するステップをさらに含む請求項２に記載の方法。
【請求項４】
前記無線能力は、前記ＵＥの少なくとも１種の帯域組合せにおける性能低下指示情報を含み、前記帯域組合せは少なくとも２個の帯域を含み、前記性能低下指示情報は、対応する帯域組合せで性能低下の状況があるか否かを示すためのものである請求項３に記載の方法。
【請求項５】
前記無線能力は、前記ＵＥに少なくとも１種の帯域組合せで使用される送信ポートの数量を含み、前記帯域組合せは少なくとも２個の帯域を含む請求項３に記載の方法。
【請求項６】
ネットワーク側から送信された構成情報であって、帯域組合せ、及び／又は、周波数ポイントと帯域幅との組合せを含む構成情報を受信するステップと、
前記構成情報に基づいて、前記帯域組合せ及び／又は前記周波数ポイントと帯域幅との組合せ、サポートする第１数量の送信ポート又はサポートする第２数量の送信ポートを確定するステップと、をさらに含む請求項１に記載の方法。
【請求項７】
前記した前記判断結果に基づいて、前記ＵＥが第１数量又は第２数量の送信ポートを使用することをネットワーク側に指示することを確定することは、
現在の帯域組合せが、性能低下の状況を有する帯域組合せである場合、性能低下の状況を有する帯域組合せ及び／又は周波数ポイントと帯域幅との組合せのうち、ターゲット帯域組合せ及び／又はターゲット周波数ポイントと帯域幅との組合せが第２数量の送信ポートをサポートすることを、ネットワーク側に指示するステップを含む請求項６に記載の方法。
【請求項８】
前記ＵＥが第２数量の送信ポートをサポートできるか否かを示すハードウェア能力情報を、ネットワーク側に送信するステップをさらに含む請求項１に記載の方法。
【請求項９】
前記した前記判断結果に基づいて、前記ＵＥが第１数量又は第２数量の送信ポートを使用することをネットワーク側に指示することを確定することは、
前記ＵＥが第２数量の送信ポートをサポートすることが前記ハードウェア能力情報によって示される場合、
現在の周波数ポイントと帯域幅との組合せでは性能低下の状況があることが前記判断結果によって示される場合、前記ＵＥが第１数量の送信ポートを使用することをネットワーク側に指示することを確定し、そうでない場合、前記ＵＥが使用する送信ポートの数量をネットワーク側に指示しないステップを含む請求項８に記載の方法。
【請求項１０】
無線能力をネットワーク側に送信した後、ネットワーク側から送信された少なくとも１個の周波数ポイントと帯域幅との組合せの問い合わせ情報を受信したか否かを判断するステップと、
ネットワーク側から送信された少なくとも１個の周波数ポイントと帯域幅との組合せの問い合わせ情報を受信した場合、前記少なくとも１個の周波数ポイントと帯域幅との組合せが第１数量又は第２数量の送信ポートをサポートすることをネットワーク側に送信するステップと、をさらに含む請求項３−５のいずれか一項に記載の方法。
【請求項１１】
ＵＥの送信ポート数量を指示する方法であって、ネットワーク装置によって実行され、
現在の帯域組合せが、性能低下の状況を有する帯域組合せである場合、ＵＥから送信された指示を取得し、前記指示によって、前記ＵＥが第１数量又は前記第１数量よりも大きい第２数量の送信ポートを使用することを確定するステップを含む方法。
【請求項１２】
受信した指示によって、前記ＵＥが第２数量の送信ポートを使用することが示される場合、前記ＵＥに対応する現在の周波数ポイントと帯域幅との組合せでは性能低下の状況がないことを確定するステップをさらに含む請求項１１に記載の方法。
【請求項１３】
前記ＵＥが接続状態に入った後、前記ＵＥに対応する無線能力がコアネットワーク側に保存されているか否かを判断し、保存されていない場合、無線能力を取得する要求情報を前記ＵＥに送信するステップをさらに含む請求項１２に記載の方法。
【請求項１４】
ユーザー装置であって、プロセッサ、及びプロセッサにより実行可能なコンピュータプログラムを記憶するように構成されるメモリを備え、
前記プロセッサは前記コンピュータプログラムを実行する時、請求項１−１０のいずれか一項に記載の方法のステップを実行するように構成されるユーザー装置。
【請求項１５】
ネットワーク装置であって、プロセッサ、及びプロセッサにより実行可能なコンピュータプログラムを記憶するように構成されるメモリを備え、
前記プロセッサは前記コンピュータプログラムを実行する時、請求項１１−１３のいずれか一項に記載の方法のステップを実行するように構成されるネットワーク装置。
【国際調査報告】
2020537831.tif 000007
2020537831.tif 000008
2020537831.tif 000009
2020537831.tif 000010